(57)【特許請求の範囲】
【請求項１】
ロータリーディスクタンブラー錠の内筒の少なくとも１枚の仕切板を遊動仕切板として指定し、この遊動仕切板の外形寸法を他の仕切板より小さくして、一端の支軸孔を支軸の回りを揺動可能に支承すると共に、他端の自由外周縁をカム溝と係合しているロッキングバーと所定の間隔を保つように成形し、一方、上記遊動仕切板の中央部に、自由外周縁に形成した解錠切欠がロッキングバーの内側縁と整合する基準角度位置において、鍵孔に挿入された合鍵及びバックアップピンを包囲する係合孔を開口させると共に、この係合孔の開口端縁に、ブレードを厚さ方向に挟むようにして複数箇所で接触する接触部を形成し、以て合鍵が鍵孔に挿入されたとき遊動仕切板が自動的に基準角度位置に復元するようにしたことを特徴とするロータリーディスクタンブラー錠の遊動仕切板機構。
【請求項２】
遊動仕切板の上記支軸と支軸孔とを同軸に嵌合させたことを特徴とする請求項１に記載の遊動仕切板機構。
【請求項３】
上記支軸孔を遊動仕切板の自由外周縁の揺動方向に長い長穴とし、この支軸孔に支軸を遊動可能に係合させたことを特徴とする請求項１に記載の遊動仕切板機構。
【請求項４】
上記遊動仕切板の係合孔の開口端縁に、バックアップピンと係合する受け切欠を形成したことを特徴とする請求項１乃至請求項３に記載の遊動仕切板機構。
【発明の詳細な説明】
【０００１】
【発明の属する技術的分野】
この発明は、本出願人が先に提案した新規なロータリーディスクタンブラー錠錠における遊動仕切板機構（以下単に仕切板機構という）に係り、特に、所謂ピッキングと称される不正解錠を困難にする仕切板機構に関する。
【０００２】
【従来の技術】
本出願人は、先に、特願２００１−            を以て、従来の所謂レバータンブラー錠（ロータリーディスクシリンダ錠）を改良した新規なロータリーディスクタンブラー錠を提案した。
【０００３】
このロータリーディスクタンブラー錠は、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００４】
【発明が解決しようとする課題】
この発明は、上記した構成の新規なロータリーディスクタンブラー錠に新規な遊動仕切板機構を付加することでピッキングをより困難にし、錠前としてのロータリーディスクタンブラー錠の安全性を更に向上させることを目的としている。
【０００５】
【課題を解決するための手段】
上記の目的を達成するため、請求項１に記載の発明は、ロータリーディスクタンブラー錠の内筒の少なくとも１枚の仕切板を遊動仕切板として指定し、この遊動仕切板の外形寸法を他の仕切板より小さくして、一端の支軸孔を支軸の回りを揺動可能に支承すると共に、他端の自由外周縁をカム溝と係合しているロッキングバーと所定の間隔を保つように成形し、一方、上記遊動仕切板の中央部に、自由外周縁に形成した解錠切欠がロッキングバーの内側縁と整合する基準角度位置において、鍵孔に挿入された合鍵及びバックアップピンを包囲する係合孔を開口させると共に、この係合孔の開口端縁に、ブレードを厚さ方向に挟むようにして複数箇所で接触する接触部を形成し、以て合鍵が鍵孔に挿入されたとき遊動仕切板が自動的に基準角度位置に復元するようにしたことを特徴とする。
【０００６】
また、請求項２に記載の発明は、遊動仕切板の上記支軸と支軸孔とを同軸に嵌合させたことを特徴とする。
【０００７】
更にまた、請求項３に記載の発明は、上記支軸孔を遊動仕切板の自由外周縁の揺動方向に長い長穴とし、この支軸孔に支軸を遊動可能に係合させたことを特徴とする。
【０００８】
また、請求項４に記載の発明は、上記遊動仕切板の係合孔の開口端縁に、バックアップピンと係合する受け切欠を形成したことを特徴とする。
【０００９】
【実施例】
以下、この発明の実施例を図２乃至図７を参照して説明する。
図２において符号１２はロータリーディスクタンブラー錠の外筒を、符号１３は内筒を夫々示し、これら外筒及び内筒１２、１３の構造は従来のレバータンブラー錠と同じであるから、次に極く簡単に説明する。
【００１０】
内筒１３は、複数の仕切板１４、１４を一対のリテーナ１５により一体に結合し、仕切板間に形成されたスロット１０にロータリーディスクタンブラー２を挿設してなる（図１参照）。
【００１１】
上記リテーナ１５は、図３に示すように、円筒の一部を母線に沿って切出した板状の部材で、一端（外端）にフランジ１６を形成すると共に、その母線に沿って複数個の縦長の取付孔１７、１７が列設されている。
【００１２】
一方、仕切板１４は、図２に示すように、大体の形状が円形の板材で、中央部に鍵孔５を、その上方に支軸孔１９を、下方にバックアップピン孔２１を夫々開口させ、両側に取付片１８、１８が形成されている。
【００１３】
そして、上記取付片１８をリテーナ１５の取付孔１７に填め込むようにして内筒１３を構成する。なお、図２において符号２２は内筒回動時ロッキングバー１１（図１参照）が進入する案内切欠を示す。
【００１４】
この発明においては、図２に示すように、上記した仕切板１４、１４の内少なくとも１枚が遊動仕切板２３として指定される。
【００１５】
この遊動仕切板２３は、その外形寸法を他の仕切板１４より小さくして、一端の支軸孔１９を支軸３の回りを揺動可能に支承すると共に、他端の自由外周縁２４を外筒のカム溝２５と係合しているロッキングバー１１と所定の間隔Ｄを保つように成形している。
【００１６】
また、遊動仕切板２３の中央部には、自由外周縁２４に形成した解錠切欠４がロッキングバー１１の内側縁と整合する基準角度位置（図２に示す角度位置）において、鍵孔５に挿入された合鍵及びバックアップピン８を包囲する係合孔２６が開口している。
【００１７】
更にまた、この係合孔２６の開口端縁には、合鍵のブレードを厚さ方向に挟むようにして複数箇所で接触する接触部２７、２７が形成されており、以て合鍵が鍵孔に挿入されたとき遊動仕切板２３が図２に示す基準角度位置に自動的に復元するようになっている。
【００１８】
上記のように構成されたこの発明による遊動仕切板機構は、例えば遊動仕切板２３が１枚の場合、図４に示すように、内筒１３の軸線方向において前後を夫々ロータリーディスクタンブラー２、２に挟まれた状態で支軸３に回動自在に支承されている。
【００１９】
上記のように構成された請求項１に係る発明の一実施例による仕切板機構は、施解錠操作の際、合鍵６の鍵孔５への挿入毎に、各ロータリーディスクタンブラー２はその解錠切欠４がロッキングバー１１の内側縁に整合するように駆動されると共に、合鍵のブレードにより遊動仕切板２３も図２に示す基準角度位置に置かれる。
【００２０】
この状態で内筒１３を回動させると、ロッキングバー１１とカム溝２５との間に生じる楔作用により、ロッキングバー１１がロータリーディスクタンブラー２及び遊動仕切板２３の解錠切欠４、４或いは仕切板１４の案内切欠２２に進入するので、内筒１３が回動可能となる。すなわち、ロータリーディスクタンブラー錠は解錠される。
【００２１】
一方、ピッキングは、合鍵を用いることなく、内筒１３に一定方向にトルクを与えつつ鍵孔５内に細いピッキング工具を差込み、このピッキング工具により係合突起７（図１参照）を例えば左方に動かして、ロータリーディスクタンブラーの解錠切欠４をロッキングバー１１の内側縁に整合させる如くである。
【００２２】
このとき、解錠切欠４をロッキングバー１１の内側縁に整合させた状態でロッキングバー１１をガタ分内筒中心軸線方向に動かすと、内筒にトルクを掛けている手に異なる感触が得られる如くなのである。
【００２３】
つまり、ピッキングには、ロッキングバー１１と解錠切欠４との間に何等かの接触なり係合が必要なのである。
【００２４】
そこで、この発明によるフローティング機構の存在を知らない不正解錠者は、通常奥のタンブラーから解錠切欠４をロッキングバー１１の内側縁に揃えていく。
【００２５】
それは、手前の方から揃えていくと、解錠位置に固定されている係合突起７の奥の係合突起を動かすことができないからである。
【００２６】
また、通常ロータリーディスクタンブラー錠の鍵孔５はその横断面形状の中央部が細くなっているので、ピッキング工具を鍵孔に差込んだ状態で上下に動かすことはできないので、上の広い穴部のタンブラーを操作した後は、一旦ピッキング工具を引抜いて下の広い穴部に差し入れる、という操作を交互に繰り返す。
【００２７】
そして、図４でハッチングを施した２枚のロータリーディスクタンブラー錠２、２の内右側のものをピッキングにより解錠角度位置に置くとき、これとその左側の仕切板２３とは密着状態にあるから、この仕切板２３はロータリーディスクタンブラー２との摩擦係合を介して、図５或いは図５に示すように支軸３の回りを連れ動いて揺動する。
【００２８】
このとき、図５に示すように、遊動仕切板２３の係合孔２６の開口端縁にバックアップピン８と係合する受け切欠２８を形成し、この受け切欠２８の大きさを適切に設定しておくと、図６に示すように、受け切欠２８とバックアップピン８とがぴったりと填り合ったとき、遊動仕切板２３を当該揺動角度位置に準安定的に係止することができる。
【００２９】
そして、前記したように遊動仕切板２３はその自由外周縁２４とロッキングバー１１との間に隙間があるから、遊動仕切板２３をピッキングにより基準角度位置に戻すことができない。
【００３０】
換言すれば、ピッキング操作によりこの遊動仕切板２３の存在を知ることができず、不正解錠者はこの遊動仕切板２３を飛ばして、図４のハッチングを施したロータリーディスクタンブラー２の内、左側のロータリーディスクタンブラー２をピッキングにより解錠角度位置に揃える。
【００３１】
このとき、遊動仕切板２３は、上記左側のロータリーディスクタンブラー２の動きに伴って連れ動いて、新しい角度位置に移動するかも知れない。
【００３２】
何れにしても、ピッキングが終了したと不正解錠者が誤認して内筒にトルクを掛け、内筒を回そうとすると、図５或いは図６に示すように、遊動仕切板２３の解錠切欠４はロッキングバー１１と整合しない角度位置にあるから、ロータリーディスクタンブラー錠の作動原理により内筒は回動しない。換言すれば、不正解錠ができない。
【００３３】
したがって、この遊動仕切板機構の構造を知らない不正解錠者は諦めざるを得ないし、遊動仕切板機構の存在及び場所を知っている不正解錠者でも、前記したようにその遊動仕切板２３を解錠角度位置に揃える手立てが無いから、結局この遊動仕切板機構を備えたロータリーディスクタンブラー錠はピッキングにより不正解錠することは不可能である。
【００３４】
図７は請求項３に記載の発明の一実施例による遊動仕切板機構の主要部を示し、この遊動仕切板機構は、支軸孔１９を遊動仕切板の自由外周縁２４の揺動方向に長い長穴とし、この支軸孔に支軸３を遊動可能に係合させたものである。
【００３５】
図７に示すものは、バックアップピン８が受け切欠２８（図５参照）と填り合っていても、また填り合っていなくても、図７の矢印Ａ、Ｂのように遊動仕切板２３の動きの自由度が一つ増えるので、ピッキングにより遊動仕切板２３を基準角度位置に戻す操作が更に困難になる。
【００３６】
【発明の効果】
以上の説明から明らかなように、この発明は、少なくとも１枚の仕切板を遊動仕切板として指定し、その外形寸法を他の仕切板より小さくして、一端を支軸により揺動可能に軸支すると共に、他端の自由外周縁がロッキングバーと所定の間隔を保つように成形し、一方、上記遊動仕切板の中央部に、自由外周縁に形成した解錠切欠がロッキングバーの内側縁と整合する基準角度位置において、鍵孔に挿入された合鍵及びバックアップピンを包囲する係合孔を開口させると共に、この係合孔の開口端縁に、ブレードを厚さ方向に挟むようにして複数箇所で接触する接触部を形成し、以て合鍵が鍵孔に挿入されたとき遊動仕切板が自動的に基準角度位置に復元するようにしたので、ピッキング時遊動仕切板がピッキング不可能なタンブラーとして機能し、ピッキングを不可能にすることができる、という所期の効果を奏する。
【図面の簡単な説明】
【図１】ロータリーディスクタンブラー錠の構成を説明するための横断面図。
【図２】請求項１に記載の発明による遊動仕切板機構の正面を示すロータリーディスクタンブラー錠の横断面図。
【図３】リテーナの外観斜視図。
【図４】この発明による遊動仕切板機構を有するロータリーディスクタンブラー錠の縦断面図。
【図５】請求項１、２及び４に記載の発明の一実施例による遊動仕切板機構の作動を説明するための正面図。
【図６】図５と同様の遊動仕切板機構の正面図で、バックアップピンが受け切欠と係係合した状態を示す。
【図７】請求項３に記載の発明の一実施例による遊動仕切板機構の正面図。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  外筒
１３  内筒
１４  仕切板
１５  リテーナ
１９  支軸孔
２３  遊動仕切板
２４  自由外周縁
２５  カム溝
２６  係合孔
２７  接触部
２８  受け切欠
【図１】
0004128377.tif 000002
【図２】
0004128377.tif 000003
【図３】
0004128377.tif 000004
【図４】
0004128377.tif 000005
【図５】
0004128377.tif 000006
【図６】
0004128377.tif 000007
【図７】
0004128377.tif 000008